(57)【要約】【課題】  急須で淹れて飲むお茶は、ドリンク形態の茶飲料に比べ本来茶が持つ味や香を忠実に再現できるが、淹れるための準備や茶殻処理等の後片付けが煩雑で手軽さに欠けるといった欠点があった。また揺れや振動がある乗り物内等の環境下や歩行携帯での抽出飲用は非常に困難であった。このような状況下でも安全かつ手軽に、さらには低温の水等で抽出する場合においても茶葉を粉末化せず素早く抽出できる茶飲料を提供する。【解決手段】  あらかじめ一煎分の茶葉とそれに適した抽出用液体を使い捨て可能な軟質容器内へ別々に封入し、抽出液の収容部分を手で加圧することよって、その水圧により茶葉と抽出液を混合し、さらにその水圧により茶葉繊維間隙へ抽出液を浸達させ抽出する。また、この一連の操作を容器が密封状態のまま行うことによって乗り物内や無重力環境でも安全な茶の抽出飲用を可能とする。【選択図】図１
2007223672.tif 000002
【特許請求の範囲】
【請求項１】
防水密封性を有する軟質素材からなり、茶葉を封入した茶葉保存収容部分と茶を抽出するための抽出用液体を封入した抽出用液体保存収容部分の複数の収容部分を有し、茶葉を封入した茶葉保存収容部分において茶葉から飲用成分を抽出する機能を有することを特徴とする茶パック。
【請求項２】
請求項１に記載の茶パックであって、茶葉保存収容部分と抽出用液体保存収容部分の間には抽出用液体保存収容部分内の液体圧の上昇で破壊する隔壁を有し、茶の抽出をこの隔壁の破壊による抽出用液体と茶葉の混合によりパック内を密封状態で行う機能を有することを特徴とする茶パック。
【請求項３】
請求項１または請求項２に記載の茶パックであって、抽出用液体保存収容部分から茶葉保存収容部分への抽出用液体注入時において抽出用液体を外気圧に比して高圧で注入し、茶葉保存収容部分内の茶葉の繊維間隙へ抽出用液体を加圧浸透させて飲用成分の抽出を行う抽出液加圧浸達機能を有すること特徴とする茶パック。
【請求項４】
請求項１〜請求項２または請求項３のいずれかに記載の茶パックであって、茶葉抽出時に抽出用液体保存収容部分への加圧により得る茶葉保存収容部分内部の液体圧の上昇により茶葉保存収容部分の内部容積を拡大し維持する機能を有することを特徴とする茶パック。
【請求項５】
請求項１〜請求項３または請求項４のいずれかに記載の茶パックであって、茶葉抽出時にパック外部からの加圧によりパック内部の茶葉を撹拌あるいは揉み出しする機能を有することを特徴とする茶パック。
【請求項６】
請求項１〜請求項４または請求項５のいずれかに記載の茶パックであって、同一茶葉を複数回抽出する機能を有することを特徴とする茶パック。
【請求項７】
請求項１〜請求項５または請求項６のいずれかに記載の茶パックへの茶葉および抽出用液体の包装収容方法であって、茶葉および抽出用液体を茶パックへの包装収容後に抽出用液体を加熱殺菌し、その熱により封入されている茶葉を再乾燥することを特徴とする包装収容方法
【発明の詳細な説明】
【技術分野】
【０００１】
本発明は茶葉（Camellia-Sinensis等の植物体乾燥物）から飲用成分を抽出する急須の機能を有し、一煎分の分量単位に分け保存、輸送、販売等に供する一煎茶パックの機能を備えた防水密封容器とこれに茶葉、抽出用液体を封入した茶飲料並びに包装収容方法に関するものである。
【背景技術】
【０００２】
緑茶をはじめとする茶類の飲用方法の中で旧来から行われている急須で淹れるリーフ形態の茶の飲用方法は、缶入やペットボトル入のドリンク形態の茶の飲用方法と比べ茶葉が本来持っている香りや味といった嗜好品としての微妙な風味を醸し出すことが可能である。
【０００３】
これは製茶により乾燥された茶葉を水やお湯等の液体で浸出し、その液体中に茶の旨味成分や香りの成分等を抽出し、その抽出液だけを飲用液として取り出して飲用する急須の特性によるところでもあり、茶系の嗜好飲料を飲用する上で最も重要な茶の爽やかな香りが忠実に再現できることも急須を使っていれるリーフ形態での茶飲用の最大の特徴である。
【０００４】
さらに、急須を使ったリーフ茶は一煎目を急須から注ぎ終わっても二煎目、三煎目と同じ茶葉を複数回、異なった風味で飲用することができる。それは緑茶に例えてみればテアニン等のアミノ酸で構成される旨味成分が比較的低温の抽出液で早めに抽出される反面、渋み成分であるカテキン類やにがみ成分であるカフェインは比較的高温の抽出液でないと抽出されないためであり、この特性を利用して例えば一煎目を低い温度でいれて旨味を味わい、二煎目以降を高温で出してにが味、渋味を味わうといった嗜好方法が可能で、さらには抽出時間の調整による濃度調整も可能である。
【０００５】
次に我が国の緑茶に代表されるリーフ形態の茶の流通形態について説明する。先ず農業生産活動によって茶園に栽培されている茶樹から生葉が摘採され、製茶工場へ持ち込まれて荒茶に加工される。この荒茶加工の過程は農業生産者個々が製茶機械を持ち農業生産の一過程として行われる場合と農業生産者が集まって組合企業的な製造工場を持ち荒茶加工される場合と荒茶加工を業とする製茶業者が行う場合等があるが、いずれにしてもお茶は摘採された生葉の状態で消費者へ届けられることはなく、必ず荒茶に加工され、この荒茶の状態のお茶が農産物としてのお茶として流通にのせられている。
【０００６】
その後、茶種によりまたは産地により違った複雑な流通経路を通り、その過程で仕上加工されて消費者へ供給されるが、近年では農業部門である荒茶加工の部分から直接消費者へ供給される流通形態も増加している。これは安全・安心な農産物の供給方法として近年増加の一途をたどっている「生産者の顔の見える農産物の消費者への供給」であり生産者または産地によりいろいろな特徴を持ったお茶を消費者へ供給している。これは工業製品としての性格が強く清涼飲料水に位置付けられるドリンク形態の茶飲料ではほぼ不可能な農産物としてのお茶の消費者への供給形態であり、茶の生産地における茶産業振興の上でも重要なことである。また、茶葉の産地や品種や製法の違いによる特徴、さらにはそれぞれの茶葉のブレンド技術による究極の風味をリーフ形態の茶においては味わうことが可能である。
【０００７】
しかし、茶葉を急須等の抽出器具を使って飲料成分を抽出して飲むリーフ形態の茶の飲用方法には次にあげる欠点があった。先ず茶葉から飲用成分を抽出する手順として、茶葉を収納保管している容器から適量の茶葉を茶さじ等で計量しながら急須へ移し、そこへ水やお湯といった抽出液を適量、適温で注ぐことにより茶葉から飲用成分を抽出するが、この時の茶葉の量あるいは抽出液の量と温度、特に水質によってお茶の風味が微妙に変わってしまう。このようにリーフ茶としての味や香りを醸し出すための一連の作業の手順や手法、抽出液水質の微妙な違いによって、そのお茶の持つ特徴が長所にもなりまた欠点にもなってしまうため、茶の生産者や販売者が意図する風味でリーフ形態の茶を消費者に飲用してもらうためには、消費者が飲用する時点でもある程度の「お茶をおいしく淹れる技術」が要求される。
【０００８】
さらに、茶の旨み成分だけを抽出するために低温の抽出液で抽出する場合、乾燥している茶葉繊維中の微細な間隙部分まで抽出液が浸透し、飲用成分が抽出されるまでには高温の抽出液で抽出する場合に比べ時間が掛かるといった欠点もあった。
【０００９】
また、急須等の抽出用の道具が必要な上、茶葉から飲用成分を抽出した後に急須に残った茶殻の排除や処理、急須の洗浄等の後処理作業が必要で他の飲料に比べ飲用のための空間も広く必要とし、手軽さに欠けるといった欠点もあった。
【００１０】
さらに使用する水として塩素消毒された水道水等を使用する場合などは、この塩素臭を取り除くための浄水器の使用や一定時間以上の沸騰など、お茶の持つ本来の風味を引き出すためには時間的にも設備的にも煩雑で手軽に味わうことができる飲み物ではなかった。
【００１１】
さらに、リーフ形態の茶は飲用容器に注ぐ前に急須等の抽出器で一定時間以上の浸出が必要なことから、車や航空機等の揺れや振動のある乗り物内での抽出や歩行携帯での抽出飲用は非常に困難であり、さらには宇宙船や宇宙ステーション等の無重力または微少重力環境下では茶葉と抽出用液体の急須へ注入や注出といった重力作用を利用し、かつ内部の抽出液体が完全な密閉状態となり得ない急須等の抽出器具を使った茶の飲用はほぼ不可能であった。
【００１２】
以上のリーフ形態の茶の飲用上の欠点と昨今のドリンク形態の茶飲料の製造技術の発展に伴うドリンク茶の高品質化とドリンク形態の茶飲料の手軽さからお茶の消費におけるドリンク茶の消費割合が年々高まっている。
【００１３】
しかし、ドリンク形態の茶飲料の品質が向上しても、特に高級茶の極微妙な風味をドリンク形態の茶飲料において再現することは非常に困難であるため、茶本来の風味を醸し出すためにティーバック類や使い捨て急須等をはじめとする様々な先行技術が提案されている。
【００１４】
【特許文献１】特開平５-３０８９０２号公報
【特許文献２】特開平８-２４３０２８号公報
【特許文献３】特開平９-１９３７１号公報
【特許文献４】特開平９-２０２３３１号公報
【特許文献５】特開平１１-１０４０１８号公報
【特許文献６】特開２０００-２３７０２１号公報
【特許文献７】特開２００１-８６２３号公報
【特許文献８】特開２００１-６１６２９号公報
【特許文献９】特開２００１-２０６４２８号公報
【特許文献１０】特開２００１-２５８４７７号公報
【特許文献１１】特開２００２-１２５６３７号公報
【特許文献１２】特開２００２-２０９７５１号公報
【特許文献１３】特開２００２-３７０７４６号公報
【特許文献１４】特開２００３-７２８２２号公報
【特許文献１５】特開２００３-３２１０６１号公報
【特許文献１６】特開２００３-３３９５４４号公報
【特許文献１７】特開２００５-１３６６７号公報
【特許文献１８】特開２００５-１５２５５１号公報
【特許文献１９】特開２００５-１８７０２２号公報
【特許文献２０】特開２００５-３３４４０１号公報
【特許文献２１】実開平６-６２３３号公報
【発明の開示】
【発明が解決しようとする課題】
【００１５】
しかし、これらの先行技術には次に説明する欠点が存在する。先ずティーバック等によりリーフ茶を簡便に淹れる方法または携帯用急須や使い捨て急須または茶や他の飲料に関する抽出装置や器具等に関する提案は、別途に通常の急須がなくてもリーフ形態の茶を飲用することができ、茶殻の処理も比較的簡便となるものがあるものの抽出用の水やお湯といった茶の抽出に適した液体を用意する必要があり、さらには揺れや振動があって空間的にも狭い車や航空機内等の環境下や歩行中等での携帯飲用、さらには宇宙船や宇宙ステーション内といった無重力或いは微少重力環境下での利用は極めて困難である。また、ティーバックの形状によっては茶葉が十分に水分を含んで開く容積の確保ができず、十分な香味を再現できない場合もある。
【００１６】
また、ペットボトルや缶などの密封容器にあらかじめ水を入れ茶葉等の原料を添付して飲用時に混合する提案や容器中の飲用液に添加物を添加する機構に関する提案については、水等の抽出液と茶葉を隔てる隔離部材の破壊のための破壊部材を具備する必要があり、容器製造コストの上昇や異なる材質の材料を使用しているため使用後の容器処分について問題が発生する恐れがある。
【００１７】
さらに、低温の抽出液を使って茶葉から抽出液を抽出する場合は抽出液の分子運動が小さいため乾燥茶葉の繊維間隙に存在する気体が微細気泡となり茶葉繊維間隙へ留まり、間隙への抽出液の浸達を阻害し茶葉の吸水が遅れ、結果として抽出に要する時間が長時間必要となること、また、茶葉等の原料と水とを一旦混合し飲用成分を抽出した後で再び茶殻と飲用成分を容易に分離できないため、原料茶葉や添加物は粉末化あるいは細粒化し飲用液に混合する必要がある。
【００１８】
しかし、緑茶に例えればリーフ茶の飲用に関して粉末化や細粒化した茶原料を使用した場合、原料茶との混合液になってしまい、茶葉から風味のある飲用成分のみを抽出した抽出液にはならない。例え低温でいれたとしても旨味成分であるテアニンの他にも本来なら高温の抽出液で抽出されるべきカフェイン等の苦味成分も混合され、さらに急須等で抽出飲用する場合には不溶成分として茶殻に残るべき成分までもが飲用液に混合されてしまい、本来の茶としての風味や保存性を損なう恐れがあり、このことにより風味の面でドリンク形態の茶飲料との差異がなくなってしまうといった欠点がある。さらにリーフ形態の茶飲用の特徴である好みによる抽出時間の調整や同一茶葉を一煎目、二煎目、三煎目といった複数回の抽出に供することも不可能である。
【００１９】
また、前述の茶葉粉末化や細粒化の必要要因としては、これらの技術の多くが硬質系容器を利用するため、その処理上の問題として飲用後に容器内に粗大な茶殻を残さないようにする必要があることもあげられる。また、ドリンク形態の茶飲料と同様にその製造に大掛かりな生産設備が必要となることや生産工程が複雑となることもあげられる。また、先行技術によっては完全な密封状態下での茶葉と抽出用液体の混合ができないことと、これらの多くが抽出用液体の中に原料を落とし込むことにより抽出原料と抽出用液体を混合する構造であるために無重力環境下では利用できないことも欠点としてあげられる。
【００２０】
なお、以上の先行技術以外にも２種類以上の食品類を１包装体に別々に包装し、販売または食する直前に混合する食品や無重力あるいは微少重力環境で液体物を飲用する方法として宇宙食に代表されるチューブ入り飲料や食品があるが、いずれも混合する操作のみで食する状態となりえる食品であったり、または、飲用可能な状態の液体類をチューブに封入した物やジュース、コーヒー等の飲料原料の粉末をチューブ内で水に溶かしてそのまま飲用するものであって、リーフ形態の茶の飲用方法の様に別々に保存してある乾燥状態の茶葉と抽出用液体を飲用直前に混合し、飲用成分抽出後に茶としての香りや味を損なわない状態で再び液体と茶葉とを分離し飲用液のみを取り出して飲用するといった、いわゆる急須としての機能は持ち得ていない。
【００２１】
本発明は、前述の急須を使っていれるリーフ形態の茶飲料、およびティーバックや使い捨て急須や各種抽出器・飲料容器、または宇宙食容器や２種類以上の食品類を１包装体に別々に包装した食品容器を利用した飲料食品、あるいはこれらの組み合わせによるリーフ茶飲用に関する技術の欠点を補い、携帯しての歩行中や、揺れや振動がありかつ空間的に狭い車や航空機といった乗り物内、或いは宇宙船内等の無重力または微少重力環境下でも安全に使用でき、かつ低コストで手軽で茶生産者や小規模流通業者でも製品化できる程度に簡素で、簡単に茶葉から旨味成分だけを抽出することができる急須機能を備えた茶パックによるリーフ形態の茶飲料を提供することを目的とする。
【課題を解決するための手段】
【００２２】
上記の目的を達成するため、請求項１に記載された発明では、防水密封性を有する軟質素材からなり、茶葉を封入した茶葉保存収容部分と茶を抽出するための抽出用液体を封入した抽出用液体保存収容部分の複数の収容部分を有し、茶葉を封入した茶葉保存収容部分において茶葉から飲用成分を抽出する機能を有することを特徴としている。
【００２３】
また、請求項２に記載された発明では、請求項１に記載の茶パックであって、茶葉保存収容部分と抽出用液体保存収容部分の間には抽出用液体保存収容部分内の液体圧の上昇で破壊する隔壁を有し、茶の抽出をこの隔壁の破壊による抽出用液体と茶葉の混合によりパック内を密封状態で行う機能を有することを特徴としている。
【００２４】
さらに、請求項３に記載された発明では、請求項１または請求項２に記載の茶パックであって、抽出用液体保存収容部分から茶葉保存収容部分への抽出用液体注入時において抽出用液体を外気圧に比して高圧で注入し、茶葉保存収容部分内の茶葉の繊維間隙へ抽出用液体を加圧浸透させて飲用成分の抽出を行う抽出液加圧浸達機能を有すること特徴としている。
【００２５】
さらに、請求項４に記載された発明では、請求項１〜請求項２または請求項３のいずれかに記載の茶パックであって、茶葉抽出時に抽出用液体保存収容部分への加圧により得る茶葉保存収容部分内部の液体圧の上昇により茶葉保存収容部分の内部容積を拡大し維持する機能を有することを特徴としている。
【００２６】
さらに、請求項５に記載された発明では、請求項１〜請求項３または請求項４のいずれかに記載の茶パックであって、茶葉抽出時にパック外部からの加圧によりパック内部の茶葉を撹拌あるいは揉み出しする機能を有することを特徴としている。
【００２７】
さらに請求項６に記載された発明では、請求項１〜請求項４または請求項５のいずれかに記載の茶パックであって、同一茶葉を複数回抽出する機能を有することを特徴としている。
【００２８】
さらに、請求項７に記載された発明では、請求項１〜請求項５または請求項６のいずれかに記載の茶パックへの茶葉および抽出用液体の包装収容方法であって、茶葉および抽出用液体を茶パックへの包装収容後に抽出用液体を加熱殺菌し、その熱により封入されている茶葉を再乾燥することを特徴としている。
【発明の効果】
【００２９】
本発明の請求項１に記載された発明によると、防水密封性を有する軟質素材からなり、茶葉を封入した茶葉保存収容部分と茶を抽出するための抽出用液体を封入した抽出用液体保存収容部分の複数の収容部分を有し、茶葉を封入した茶葉保存収容部分において茶葉から飲用成分を抽出する機能を有することを特徴とする茶パックであるため、その茶葉に最適な水質の水等の抽出液をあらかじめセットすることが可能となり、適量の茶葉計量も不要となるため、生産者や販売者が意図する風味で飲用者はお茶を飲用することができる。さらに、リーフ茶を淹れるために急須や抽出用液体を別途準備する必要がなく、乗り物内等の空間の狭い環境下等、時と場所を選ばず気軽にリーフ茶を飲用することが可能となる。
【００３０】
さらには抽出が終わった茶パックは液体を絞り切ることによってそのまま廃棄できるため、煩わしい茶殻の処理や抽出器具の洗浄作業の必要がなくなるとともに、軟質素材によってパックを形成することにより茶殻から水分を外部からの圧迫により絞ることができるとともに廃棄物として非常にコンパクトとなり処理のための手間や費用も格段に低減することができる。また、形状もそれぞれの使用形態に合わせた形状とすることも可能である。
【００３１】
また、茶葉保存収容部分に注入する抽出液の量を調整することによって一煎、二煎、三煎といった複数回の抽出を行うことができ、同じ茶葉を異なった風味で楽しむことができるとともに抽出時間を調整することにより好みの濃度で茶を飲用することができる。
【００３２】
本発明請求項２に記載の発明によると、茶葉保存収容部分と抽出用液体保存収容部分の間には抽出用液体保存収容部分内の液体圧の上昇で破壊する隔壁を有し、茶の抽出をこの隔壁の破壊による抽出用液体と茶葉の混合によりパック内を密封状態で行う機能を有することを特徴とする茶パックであるため、急須等で茶を淹れる場合の様に急須内へ茶葉を一定量入れて、さらに水やお湯といった抽出液を入れてから茶を抽出するといったリーフ茶を飲用するうえで必要とされた作業が大幅に省略でき、片手で抽出用液体保存収容部分を握るだけの非常に簡単かつ手軽な手段で急須の役割を担う茶葉保存収容部分への抽出用液体の注入を行うことができる。
【００３３】
また、茶を注ぎ出すまでの茶抽出過程がパック内部を密封状態で行うため、鉄道や自動車内、または船舶や航空機内等の揺れや振動のある環境下や場所で仮にパックが転倒した場合や落下した場合でも急須部から液体が漏れたり、溢れる心配がなくリーフ茶を抽出することができる。さらに、茶パックの吐水口から直接飲用することによって、宇宙船や宇宙ステーション等の無重力または微少重力環境下でも安全にリーフ茶を飲用することが可能となる。さらにパックを携帯して歩行中等に飲用するといったこれまでの急須等の器具を使ったリーフ茶の飲用では非常に困難であった飲用方法も可能となる。なお、振動や揺れのある環境や無重力環境での飲用時に注ぎ口から直接飲用する場合等でその安全性の確保とすべての抽出液を急須部より排出してしまうのに時間がかかる場合、飲用液保留タンクを設けることにより茶葉の抽出時間を自由に調整することが可能となる。
【００３４】
本発明請求項３に記載の発明によると、請求項１または請求項２に記載の茶パックであって、抽出用液体保存収容部分から茶葉保存収容部分への抽出用液体注入時において抽出用液体を外気圧に比して高圧で注入し、茶葉保存収容部分内の茶葉の繊維間隙へ抽出用液体を加圧浸透させて飲用成分の抽出を行う抽出液加圧浸達機能を有すること特徴とする茶パックであるため、通常の急須等を使って低温の抽出液で抽出する場合は、乾燥茶葉の繊維内の微細な間隙に存在する気体がその間隙から外部に排出されるまでの時間が必要なため、その分抽出液の茶葉繊維細部への浸達が遅れ、その抽出には分子運動の盛んな高温の抽出液で抽出した場合に比べ時間を要するが、外気圧に比して加圧された抽出液が注入されるためその圧力により微細な茶葉繊維間隙へ速やかに抽出液が浸達し、その結果として低温の抽出液においても速やかにアミノ酸等の旨み成分を主体とした飲用成分が抽出される。
【００３５】
本発明請求項４に記載の発明によると、茶葉抽出時に抽出用液体保存収容部分への加圧により得る茶葉保存収容部分内部の液体圧の上昇により茶葉保存収容部分の内部容積を拡大し維持する機能を有することを特徴とする茶パックであるため、保存並びに輸送時は茶葉保存収容部分から内部茶葉の酸化による品質劣化防止のため真空パック状態あるいは減圧状態の茶葉品質維持保存パックとして、形状的にも茶葉保存収容部分がコンパクトな形状となっていても、茶抽出時には茶葉保存収容部分の内部容積が拡大し維持され、茶葉が吸水することによって増大する茶葉容積以上に茶葉保存収容部分の内部容積を確保し、高品質抽出液を抽出するために茶葉が十分吸水し開ききるための茶葉保存収容部分内容積を確保し維持することが非常に簡単な操作で可能となる。
【００３６】
さらには、底面部分を有するパックを使用した場合においては抽出時に形状的に安定した急須型形状を非常に簡単かつ迅速に形成することができる。また、注ぎ口を設けたパックとした場合においては、内部圧力により注ぎ口が空中に位置する形状をとることができるため、衛生的にパックを取り扱うことが可能となる。
【００３７】
本発明請求項５に記載の発明によると、茶葉抽出時にパック外部からの加圧によりパック内部の茶葉を撹拌あるいは揉み出しする機能を有することを特徴とする茶パックであるため、飲用成分が抽出しにくい茶葉原料を用いた場合においても物理的に茶葉から抽出液を抽出するため比較的短時間で茶葉から抽出液の抽出が可能となる。
【００３８】
本発明請求項６に記載の発明によると、同一茶葉を複数回抽出する機能を有することを特徴とする茶パックであるため、茶葉から飲用成分を完全に抽出することが可能で経済的であり、また、抽出の回数によって抽出成分が若干異なることにより異なった風味を味わうことができる。
【００３９】
本発明請求項７に記載の発明によると、茶葉および抽出用液体を茶パックへの包装収容後に抽出用液体を加熱殺菌し、その熱により封入されている茶葉を再乾燥することを特徴とする包装収容方法であるため、パックへの茶葉並びに抽出用液体封入後の滅菌操作と封入茶葉の再乾燥または水分含量の均一化を同一工程で行うことができ、茶に香味を増すことができる。
【発明を実施するための最良の形態】
【００４０】
本発明の実施の形態について主に図１に図示して説明する。請求項１に記載された発明によると、密封防水性を備えた軟質容器からなる茶パックAは一煎分の茶葉１３を収容した茶葉保存収容部分１と、この茶葉を抽出するための水等を収容した抽出用液体保存収容部分２からなり、保存時および輸送時等においてはそれぞれの容器で茶葉と水等の抽出用液体を別々に保存する容器として使用し、飲用時において抽出用液体保存収容部分２の中に保存してあった水等の抽出用液体を茶葉保存収容部分１に流れ込ませることによって茶葉保存収容部分１内で茶葉から飲用成分を抽出するいわゆる急須として機能を利用して飲用に供するものである。
【００４１】
請求項２に記載された発明によると、茶葉保存収容部分１と抽出用液体保存収容部分２の間は内部溶着によって形成される隔壁３で完全に区切られ、通常の保管並びに輸送時は水圧破壊隔壁４の先端部よりも抽出用液体保存収容部分２の空間側に位置する破線Bの折り線（図２a参照）によって茶葉保存収容部分１と抽出用液体保存収容部分２は折り込まれることにより通常の流通における衝撃等では水圧破壊隔壁４部分に水圧がかからず水圧破壊隔壁４が破壊されて抽出用液体保存収容部分２の中にある液体が茶葉保存収容部分１へ流れ込むことはないが、破線Bの折り込みを開放し、抽出用液体保存収容部分２に一定以上の圧力を加えた場合にのみ図２bに示すように隔壁３の片端（破線C）を支点として抽出用液体保存収容部分２側のパック面が表裏双方向に（矢印E１とE２の方向）押し広げられることにより、隔壁３の片端（破線C）より抽出用液体保存収容部分２の空間側に位置する水圧破壊隔壁４の溶着部分が先端より表裏方向（矢印F１とF２の方向）に押し広げれる力が加わり水圧破壊隔壁４が表裏方向に捲られるように破壊され、抽出用液体収容部分２内の抽出用液体が茶葉保存収容部分１へ流れ込み茶葉と抽出用液体が混合されることによる茶葉から飲用成分の抽出をパック内部が密閉状態のまま行うものである。
【００４２】
なお、これとは別の隔壁方法として、抽出用液体保存収容部分と茶葉保存収容部分との間に、パックの折り曲げによって折り曲げ可能で、茶抽出時に抽出用液体の流れる流路を設け、この流路を抽出時以外は折り曲げることによって折り曲げ閉塞隔壁を形成し、抽出時に抽出用液体保存収容部分２からの加圧によりこの折り曲げ閉塞流路を展開することによって抽出用液体保存収容部分２から抽出用液体を茶葉保存収容部分１へ流れ込ませる方法もある（図７参照）。
【００４３】
請求項３に記載された発明によると、植物体の乾燥物である茶葉から飲用液を抽出する場合において低温の抽出液によるときは茶葉の内部の微細な繊維間隙に存在する気体により抽出液の浸達を阻害する。これは分子運動の小さな低温の抽出液になるほど顕著であるため、低温の抽出液の場合は飲用成分の抽出に時間を要する。そこで抽出用液体保存収容部分２への加圧により茶葉保存収容部分１内へ流れ込んだ抽出液の圧力を外気圧以上に上昇させて、茶葉内の微細な繊維間隙に残された気体（気泡）を圧縮することによって、抽出用液体が原料茶葉１３の微細な繊維間隙への速やかに浸達され、抽出液体分子と茶葉原料との接触面積を増大させ、飲用成分を速やかに抽出している。
【００４４】
さらに、茶葉保存収容部分１内を茶葉酸化による品質劣化防止のため窒素ガス等の不活性ガスを低圧下で封入した真空包装に近い状態とした場合においては、茶葉保存収容部分１の外装パック素材は外気圧により内部の茶葉１３を押し付ける状態となる。さらに外装パック素材は原料茶葉１３の間隙へも外気圧に押されて入り込もうとする力が加わるが内部茶葉の圧縮反発力とパック素材表面の張力により均衡がとれたところで静止する。このときの茶葉保存収容部分１内の原料茶葉１３間隙内の気圧は内部茶葉の圧縮反発力とパック素材表面の張力により外気圧に比して低圧となり、ここへ加圧された抽出液を注入することによって、茶葉繊維間隙の気体容積をさらに小さくでき、抽出時間のさらなる短縮が図られる。また、茶葉保存収容部分１を低圧包装とすることにより水圧破壊隔壁４の直下部へも外気圧によってパック素材を押さえ込む力が加わり、不意に水圧破壊隔壁４が破壊される危険性はさらに低下する。
【００４５】
請求項４に記載された発明によると、茶パックが防水性のある軟質素材により形成されることによって図３aに示すように茶葉保存収容部分１と抽出用液体保存収容部分２は破線Bを折り線として重なるように折り込まれ、茶葉保存収容部分１内を内部茶葉の品質劣化防止のために真空包装または減圧包装とし、茶葉保存収容部分１の底辺部６も茶葉保存収容部分１の内部にコンパクトに折り込まれ、保管輸送時は収納性に優れた形状となり効率良く流通されるが、抽出時には茶葉が十分に吸水し開ききることによって茶葉の持つ風味を引き出すための茶葉保存収容部分１の内容積を確保し、一旦拡張した茶葉保存収容部分１は、抽出用液体保存収容部２への加圧解除後においても図２aに示す茶葉保存収容部分１と抽出用液体保存収容部２の間に位置する隔壁３の片端（破線D）に茶葉保存収容部分１の内部圧上昇によるパックの膨らみにより折れ目線がパックの表裏双方向に発生し、この折れ目線（破線D）が液体の逆流抵抗を発生させ逆流防止機構としての機能を生み出すことにより茶葉保存収容部分１の圧力低下が発生せずにこの容積は維持される。
【００４６】
また、図３cに示すように茶葉保存収容部１の内部に加わる水圧により茶葉保存収容部分１の底辺部６が拡張展開し安定的な形状を形成とともに、注ぎ口７もその付根部分を折り線として茶葉保存収容部分１と抽出用液体収容部分２の間に折り込まれていたものが、同じく茶葉保存収容部１の内部に加わる水圧により注ぎ口７が空中に張り出すことにより衛生的ないわゆる急須型の形状となる。
【００４７】
請求項５に記載された発明によると、茶葉抽出時に茶葉保存収容部分１へ一旦流れ込んだ抽出用液体を、次に茶葉保存収容部分１へ圧力を加えることにより再び抽出用液体保存収容部分２へ戻すことができる、この時に抽出用液体と茶葉とを双方の比重差あるいはフィルター１０によって分離する。この時、茶葉保存収容部分１への加圧により前述の逆流防止機構の逆流防止耐圧を上回るため、抽出液は抽出用液体収容部分２へ逆流し、さらなる茶葉保存収容部１への加圧により抽出用液体を含んだ状態の茶葉１３から抽出用液体を絞り出すことによって飲用成分を物理的に抽出する。
【００４８】
また、抽出用液体保存収容部分２から抽出液を茶葉保存収容部分１へ送水する時には逆流防止機構５が茶葉撹拌ノズルとして作用し、この茶葉撹拌ノズルにより発生する水流により茶葉を撹拌することによっても物理的に飲用成分の抽出を補助するものである。
【００４９】
請求項６に記載された発明によると、抽出用液体収容部分２を複数の分室に分け、各々の分室と茶葉保存収容部分１との境界上に水圧破壊隔壁を各々設ける事により同一茶葉を複数回抽出する事を可能としている。
【００５０】
また、茶葉保存収容部分１と抽出用液体保存収容部分２の容積比率を変え茶葉保存収容部分１の最大容積の整数倍の抽出用液体保存収容部分２の最大容積を確保することにより、同一茶葉を複数回抽出することが可能となる。
【００５１】
あるいは上部溶着部分１１（パック上部）の直下にビニールチャック機構を設けることにより一煎目抽出後にこのパック上部を取り除きビニールチャックを解放し、そこへ新たな抽出液を封入することができる構造を形成することによっても同一茶葉の複数回抽出を可能としている。
【００５２】
請求項７に記載された発明によると、茶葉保存収容部分１内の茶葉と不織布フィルターを併せて収容し、抽出用液体を封入した後に加熱殺菌を行う包装収容方法により、その殺菌時の熱により茶葉内の残存水分とフィルター素材の水分が均一化されること、また、茶葉内における含有水分が均一化することによって茶葉の再乾燥が進み、茶を抽出したときの抽出液の茶飲料としての香味を増大させている。
【実施例】
【００５３】
以下、図面を参照して本発明の実施例「急須茶パック」について説明する。図１は本発明の基本的構成を図示している。まず、防水性かつ密閉性を有する軟質素材（いずれも加熱等によるパック内面溶着が可能な素材で例えばアルミ・ビニールまたは紙製）の袋Aの茶葉保存収容部分１（以下、この明細書では「急須部」と称する。）には１煎分（例えば２g〜３g）の茶葉１３を入れる。
【００５４】
茶葉１３を封入した急須部１内部は真空または窒素ガス等の不活性ガスによる低圧充填をすることにより茶葉の酸化による品質劣化を防止するとともに、この状態の茶葉に加圧抽出用液体を注入することにより低温抽出液で抽出時でも速やかに原料茶葉繊維間隙に抽出用液体を浸達させ飲用成分の抽出をすることができる、また、輸送や保存時は外気圧により圧力破壊隔壁部４を押し続けることにより不用意な水圧破壊隔壁の破損を防止する。また、急須部１に透明窓を設ける事により抽出前後あるいは抽出中の茶葉の様子を視認することができる。
【００５５】
次に隔壁３と水圧により破壊される水圧破壊隔壁４を隔てた抽出用液体保存収容部分２（以下、この明細書では「抽出液タンク」と称する。）には抽出用の液体（例えば水道水を数分間沸騰させて塩素臭を取り除いた水等で、以下この明細書においては「抽出液」と称する。なお、茶葉から飲用成分を抽出し終えた液体をこの明細書においては「飲用液」と称する。）を封入し密閉する。飲用する直前までは図２aの水圧破壊隔壁部の拡大図に示す破線Bおよびその延長線を折り目にして抽出液タンク２を覆うように急須部1を折り曲げる。この時、図１に示す注ぎ口７もその付け根部分から抽出液タンク２と急須部１の間に折り曲げられる。これにより保存、輸送時の衝撃等により抽出液タンク２の内部水圧が水圧破壊隔壁４への加わる事を防ぐと共に注ぎ口７が両保存収容部分に覆われて当該パックの衛生的な流通での形状が形成される。
【００５６】
次に抽出液と茶葉の混合機構について図２の水圧破壊隔壁４の拡大断面図（aは横面断面図、bは背面断面図）に図示して説明する。通常、輸送あるいは保存・販売時等は抽出液タンク２内の抽出液は隔壁３および水圧破壊隔壁４によって隔てられているが、抽出液タンク２へ手による握り力等の外圧を加えることにより抽出液タンク２内の液体圧力が上昇し図２bに示すように、抽出液タンク２内壁面は破線Cの延長線を支点に矢印E１とその反対方向の矢印E２の方向に押し広げられるように力が加わる。これによりU字型あるいはV字型の水圧破壊隔壁４の先端部より内壁面に沿って引かれ矢印F１とその反対方向の矢印F２の方向に引き裂かれることによって水圧破壊隔壁４が先端部より破られ抽出液が茶葉保存収容部分１へ流れ込む、この水流は溶着により形成されたフィルター１０の間隙を通過し茶葉１３を撹拌しながら混合され、時間の経過とともに茶葉から飲用成分が抽出される。
【００５７】
なお、隔壁破壊部分を水流が通過する際に水流抵抗が大きい場合には、この部分を背面方向から（図２a矢印Hの方向）力を加えることにより水圧破壊隔壁部の流路壁面が前後に拡大し流路容積が拡大し水流抵抗が減少する。
【００５８】
次に複数の水圧破壊隔壁４を装備した実施例について説明する。通常隔壁３と同一線上に存在する水圧破壊隔壁４は単一で機能を発揮するが、より確実に隔壁破壊を実現するため、水圧破壊隔壁４を隔壁３の線上に複数配列するものである。しかし、水圧破壊隔壁数が増えても貯蔵、輸送時等の飲用抽出時以外は折り線Bにより折り込まれることにより何れの水圧破壊隔壁へも水圧がかからないため、飲用時の以外の振動や衝撃による水圧破壊隔壁の破損危険率は上昇しない。
【００５９】
次に折り曲げ閉塞隔壁について説明する。図７に三角形状パックにおいて折り曲げ閉塞隔壁を利用した実施例の断面図を示す。これは折り線Iを折り曲げることによって抽出液タンク２と急須部１の間にある流路に２箇所の折り曲げ閉塞部を設け、さらに抽出液タンク２と急須部１を折り曲げ重ねることで当該流路の隔壁３の延長線上にも閉塞部を設け、飲用時以外は３点の折り曲げ閉塞部によって抽出液の移動を遮断する水圧破壊隔壁構造である。また、この折り曲げ部は流路の構造によりさらに多数設置することも可能である。なお、抽出液封入後の過熱殺菌時の熱によって折り曲げ部の内面が密着され、閉塞部分の気密性を高めている。
【００６０】
次に一旦急須部１へ送り込まれた抽出液が再び抽出液タンク２へ逆流することを防ぐ逆流防止機構について説明する。急須部１に抽出液が充満することによって図２aに示す隔壁３の片端に位置する破線Dの延長線を支点にパックの表裏の壁がそれぞれの外側方向に向かって膨らみ破線D部分の流路５は、パック内壁が表裏の方向に折り込まれる形となり水流に対する抵抗が発生する。この水流抵抗によって無圧時に一旦急須部１に流れ込んだ抽出液が流路を逆に流れることを防止する逆流防止機能を発揮している。なお、この機構は折り曲げ閉塞隔壁においても流路出口においてこの機能は発揮される。
【００６１】
次に茶葉から物理的に飲用成分を揉み出す機能について説明する。加圧抽出においても抽出液の液温が氷温等で極端に低い場合や茶葉原料の種類によっては抽出に時間がかかり、その時間を短縮するために一旦急須部１に流れ込み茶葉と混合された抽出液を急須部１に外側から握り圧力等の圧力を加え、この圧力により前述の逆流防止機構の逆流防止耐圧を超えて再び抽出液タンク２内へ逆流させ、また、その時急須部１内の茶葉と抽出液の比重差およびフィルター１０と流路が狭められている状態の逆流防止機構部分５とが茶葉と抽出液を分離し、抽出液のみを抽出液タンク２へ逆流させ茶葉は茶葉保存収容部分１内に留まり最終的に茶葉が絞られるような形となり物理的に揉み出しがされる。
【００６２】
次に急須部１の内部からの水圧による急須部内部容積拡張維持機構について説明する。図３aから図３cまでに保存状態のパックから茶抽出状態までのパックの背面からの形状を図示している。先ず、aに示すのがパックの輸送及び保存時等の茶抽出時以外の状態であり、真空包装（但し、若干の窒素ガスが充填されている状態）され扁平状態の急須部１が抽出液タンク２を取り囲むように水圧破壊隔壁４の先端部よりも若干抽出液タンク２の空間側（図２aで示すところの破線Bの延長線）で折り曲げられ、さらに図１に示す注ぎ口７もその付け根部分を折り目に急須部１と抽出液タンク２の間に折り曲げ包み込まれている。これにより輸送時または保管時に抽出液タンク２に不慮の圧力が加わった場合の水圧破壊隔壁４の破壊を防止すると共に注ぎ口７の先端部が外部から隔離されることにより注ぎ口７を衛生的に保っている。
【００６３】
次に図３aの矢印Gの方向に折り曲げが解除され図３bのように抽出液タンク２と急須部１が直線状に並び、抽出液タンク２に外側から圧力を加えた場合に水圧破壊隔壁４に水圧がかかり、前述の隔壁破壊機構により水圧破壊隔壁４は破壊され、抽出液タンク２内の抽出液が急須部１に流れ込む、さらに急須部１に抽出液タンク２より内部の液体を伝わって圧力が加えられることによって急須部１自身の内部に折り込まれていたパック底辺部６が展開し図３のcに示す急須として自立する形状を形成すると共に折り込まれてあった注ぎ口７も内部圧力の上昇により付根部分が拡張し注ぎ口７全体が展開する、さらに前述の逆流防止機構も作用するため抽出液タンク２への加圧解除後もこの形状は維持される。なお、抽出液が急須部１へ移流し扁平となった抽出液タンク２を、今度は抽出液が注ぎ込まれて拡張した急須部１を囲むように隔壁３の直線に沿って折り込むことによって全体の重心が下がりさらに安定した形状とすることができる。なお、飲用成分抽出中に揺れや振動のある乗り物内等の環境下でこの状態でパックが転倒した場合や宇宙船内等の無重力環境下でも注ぎ口７が密封された状態である限り抽出液や飲用液が外部に漏れ出ることはあり得ない。
【００６４】
次に飲用液を注ぎ出す時点での飲用成分抽出の終えた茶葉（茶殻）と飲用液との分離機構について説明する。抽出時間が経過した後は、図４に示すように注ぎ口７先端の切り込み部分８から先端を破り（ここをスクリューキャップ等を使用した場合はそのキャップをはずし）湯のみや紙コップ等の器に注いで飲用するが、茶殻は飲用液よりも比重が大きいため、注ぐ時のパックの傾きによって茶葉保存収容部分１内部にある茶漉し隔壁９により茶葉保存収容部分１内部下方にせき止められる形となり、上澄み液である飲用液のみが茶漉し隔壁を越えて注ぎ口７方向へと流れていく。なお、注ぐ時は当初はパック全体を軽く持って注ぐが、最終的には急須部１に若干の握り圧をかけながら内部から飲用液を絞り出すように注ぐ、このときも茶殻は沈澱し、飲用液のみが外部に排出される。また、揺れや振動のある環境下では器に注がず注ぎ口７を上方向に向けて注ぎ口から直接飲用することも可能である。
【００６５】
なお、深蒸煎茶等の微粒浮遊成分の多い茶葉を使用した場合や無重力環境下における使用を考慮した場合には、前述の比重差による茶殻と飲用液の分離は非常に困難となるため、急須部１に茶葉を直接封入せず、茶葉を一旦不織布やナイロン等の袋状フィルターで包んだ状態で急須部１に封入する。
【００６６】
次にこの袋状フィルターを使用し、パックに封入した抽出用液体の過熱殺菌を行う過程における封入茶葉の再乾燥機構について説明する。通常生葉から製茶された荒茶の状態の茶葉の含水率は５％程度で再製加工の工程で再乾燥された仕上茶の含水率は３％程度となり香味が増してくる。本実施例ではパックに封入した抽出用液体を８５℃３０分の加熱殺菌を施す時に、この熱により急須部１内の袋状フィルターで包まれた茶葉をも加熱する。この熱により僅かの水分が茶葉から蒸散されるが急須部１は既に密閉状態であるためパックの外部には水分は蒸散せず袋状フィルター素材に取り込まれてフィルター素材の含水率と均一化と茶葉内の水分均一化が図られることによって若干の再乾燥機能を持つものである。
【００６７】
次に本発明の急須茶パックへの茶葉および抽出液の封入手順について図５により説明する。まず、図５aに示す型により形成されたパックが茶葉と抽出液封入前のパック形状であり、これには水圧により破壊される水圧破壊隔壁４とフィルター１０があらかじめ内部溶着により形成されている。実施例における主要溶着部の溶着幅はパックを形成する外周溶着部および隔壁部３を5ミリメートル以上とし、水圧破壊隔壁を形成する溶着部分を0.5ミリメートルとし、さらに茶漉し隔壁９とフィルター１０の丸点状の溶着部分の幅および直径は１ミリメートルとした。
【００６８】
茶葉は図５bに示すようにパックの開放された上部より投入し、開放されていた上部投入口を真空包装（但し、若干の窒素ガスが置換充填されている状態）により密封し、さら図５cに示すように抽出液タンク２と急須部１を隔てる隔壁３及び茶抽出液を外部に注ぐ際に茶殻が飲用液とともに排出することを防ぐための茶濾し隔壁９も内面の溶着によって形成し急須部１を完全に分離する。さらに図５dに示すように抽出液タンク２の上部の一部を再び切除し抽出液注入口１４を形成し、この注入口から抽出液を注入し図５eに示すように再び注入口を密閉溶着し急須茶パックへの原材料及び抽出液の封入が完了する。
なお、実施例では抽出液として通常の水道水を五分間以上煮沸した水を注入し、注入後さらに前述のとおりパック全体を加熱殺菌し（実施例では８５℃で３０分）、冷却後に図５fに示すように急須部１を抽出液タンク２へ重ね折りし完成させている。
【００６９】
次に飲用液の温度調節機構について説明する。急須でお茶をいれる場合、その抽出液の温度の違いによってその風味が違ってくるため、抽出前または抽出中（いずれも注ぎ口７を開封する前）に当該パックを任意の温度のお湯等に浸すことにより抽出液温度の調整を行うこともが可能である。
【００７０】
また、自己発熱保温機構を持つ当該パックの実施例として、抽出液タンク２や急須部１の内側または外側に例えば酸化カルシウム（生石灰）等を主成分とする加水発熱物質等の入った発熱物質収容部分と発熱反応を引き起こすための水等の入った被反応物質収容部分とを別容器として設け、当該パックに使用している水圧破壊隔壁と同一原理の機構を利用し、パックへの握り圧力により両者を混合反応させ、発生した熱により抽出液タンク２内の抽出液或いは抽出中の飲用液を加熱保温する機能を持たせたものがある。また、発熱機構の発熱物質の代わりに保冷材を用いた場合は、反対に保冷機能を持つものがある。
【００７１】
次に本発明の急須茶パックを利用した複数煎の実施例について説明する。リーフによる茶の飲用の特徴として、同一茶葉を複数回に渡って抽出することができることであり、その抽出回により違った風味を味わうことができる。本発明の急須茶パックは次の３つの方法により複数煎を可能としている。
【００７２】
第一の方法として抽出液タンク２の上部の溶着部１１の直下に溶着部１１切除のための切り込みとビニールチャック機構とを設け、１煎目を注ぎ終わり抽出液タンク２と急須部分である急須部１から飲用液が排出された後、上部溶着部１１をパックから切除し、直下にあるビニールチャックを開放し、そこから水やお湯といった新たな抽出用液体を入れてビニールチャックを閉める。その後はすでに抽出液タンク２下部にある破壊隔壁は１煎目で破壊されているため重力により急須部１へ流れ落ち、再び茶葉から飲用成分が抽出される。この操作をくり返すことにより茶葉から飲用成分が抽出され複数回抽出が可能となる。
【００７３】
第二の方法として急須部１の整数倍の抽出液タンク２の拡張時最大容積を設定することにより抽出液タンク２内の抽出液を複数回に分けて急須部分へ注入することにより複数煎を可能としている。
【００７４】
第三の方法として抽出液タンク２を複数の容器に分けて急須部１とのそれぞれの境界部分に圧力破壊隔壁４と逆流防止機構５を設け複数煎を可能としている。なお、これら第二、
第三の方法については無重力環境でも使用可能である。
【００７５】
次に飲用液保留タンクについて説明する。実施例の一つとして一旦抽出した抽出液を急須部１から排出し飲用液保留タンクに貯え、その飲用液保留タンクから外部へ注ぎ出すもので、飲用液を飲用容器に注がずに注ぎ口から直接飲用する場合などに急須部１に飲用液が長時間留まることによる飲用液の高濃度化を防止するためのものであり、図６aに示すように注ぎ口７と急須部１の間に設けるタイプと図６bのように抽出液タンク２に注ぎ口７を設け、一旦急須部１で抽出した飲用液を急須部１を手で加圧することにより再び抽出液タンク２に戻して抽出液タンク２と飲用液保留タンク１２を兼ねるタイプがある。
【００７６】
次に宇宙船や宇宙ステーションといった無重力や微少重力環境下或は携帯飲用で使用する実施例について図７三角形状パックにおいて説明する。これは抽出液タンク２から水圧破壊隔壁４を通り急須部１内で茶葉から飲用成分を抽出後、飲用液は内面融着フィルターまたは袋状フィルターによって茶殻を分離し、注ぎ口７から直接飲用される形態となる。通常無重力環境下では飲用物を容器に注いでから飲用する事は極めて困難であり、また、水分が宇宙船や宇宙ステーション内等に漂う事は非常に危険なことであるため、注ぎ口７を長くし、または注ぎ口７の途中に飲用液保留タンク（図示省略）を設ける事によって不慮のパック部への加圧によるパック内部からの飲溶液の飛び出しを防止している。また、この機構を利用する事により地上において注ぎ口７を上部に位置する方向でパックから直接飲用することによりパックを携帯しての飲用をも可能としている。
【００７７】
このように本発明の急須茶パックは軟質素材を使用しているため、その仕様環境に合わせあらゆる形状を選択できるものとした。なお、抽出液として水の他にも例えばアルコール飲料等も使用することできる。
【００７８】
以上、同一パックに茶葉と抽出液をセットした「急須茶パック」の実施例について説明したが、このパックを応用した実施例として、抽出用液体または茶葉のどちらか一方のみを予め封入し、一方には茶葉または抽出用液体の封入口とこの封入口にビニールチャックあるいは折り曲げ閉塞機構によりその後のパックへの加圧により内容物が噴出しない機構を設け、主に飲用者によりその好みの茶葉または抽出溶液体を封入し飲用するパックの実施例も存在する。
【図面の簡単な説明】
【００７９】
【図１】急須茶パック全体の断面図
【図２】水圧破壊隔壁拡大断面図  （a：横面図  b：背面図）
【図３】抽出液注入過程での縦面断面図  （a  b  cの順に展開）
【図４】パックから飲用容器への注ぎ状態を示す断面図
【図５】パックへの茶葉及び抽出用液体封入過程を示す断面図
【図６】飲用液保留タンク付きパックの断面図
【図７】折り曲げ閉塞隔壁および袋状フィルターを利用した三角形状パックの断面図
【符号の説明】
【００８０】
A  急須茶パック
B  収容保存時折れ目線
C  水圧破壊隔壁の破壊限界線
D  逆流防止時折れ目線
E  水圧破壊隔壁破壊時に抽出用液体保存収容部分内面に加わる力の方向
F  水圧破壊隔壁破壊時に水圧破壊隔壁に加わる力の方向
G  飲用時に茶葉保存収容部分を展開する方向
H  水圧破壊隔壁破壊時に水流抵抗が大きい場合に流路拡大のため加える力の方向
I  折り曲げ閉塞隔壁の折り曲げ線
１  茶葉保存収容部分（急須部）
２  抽出用液体保存収容部分（抽出液タンク）
３  茶葉保存収容部分と抽出用液体保存収容部分を隔てる隔壁
４  水圧破壊隔壁
５  茶葉撹拌ノズル兼逆流防止機構
６  パック低部
７  注ぎ口
８  注ぎ口開封用切り込み
９  茶漉し隔壁
１０  茶漉しフィルター
１１  パック上部
１２  飲用液保留タンク
１３  茶葉
１４  抽出液注入口
１５  袋状フィルター
【図１】
2007223672.tif 000003
【図２】
2007223672.tif 000004
【図３】
2007223672.tif 000005
【図４】
2007223672.tif 000006
【図５】
2007223672.tif 000007
【図６】
2007223672.tif 000008
【図７】
2007223672.tif 000009